(57)【要約】      （修正有）【課題】屋外での夜間工事やイベントなどに使う無騒音の可搬式投光機を提供する。【解決手段】外面にＬＥＤ１１のプリント配線基板１２が取り付け固定され、且つ内面に櫛歯状の放熱フィン１０ｂが突設された放熱板１０の複数から、平・底面視の正多角形に組み合わされた中空の放熱器Ａと、その放熱器を形作る各放熱板へ、ＬＥＤのプリント配線基板を包み込む状態に取り付けられた蛍光色又は乳白色のフードと、放熱器とフードとの上端部同士並びに下端部同士を各々一緒に施蓋できる大きさの円形として、その放熱器の放熱板に取り付け固定された上下一対の抜け止め板１７、１８とを備え、フードの中空内部に連通するＬＥＤプリント配線基板冷却用の第１通気口１７ａ、１８ａと、放熱器の中空内部に連通する放熱フィン冷却用の第２通気口１７ｂ、１８ｂとの複数づつを、上下一対の抜け止め板へ各々放射対称分布型に開口形成した。【選択図】図２
0003201489.tif 000002
【実用新案登録請求の範囲】
【請求項１】
外面にＬＥＤのプリント配線基板が取り付け固定され、且つ内面に櫛歯状の放熱フィンが突設された放熱板の複数から、平・底面視の正多角形に組み合わされた中空の放熱器と、
その放熱器を形作る各放熱板へ、上記ＬＥＤのプリント配線基板を包み込む状態に取り付けられた蛍光色又は乳白色のフードと、
上記放熱器とフードとの上端部同士並びに下端部同士を各々一緒に施蓋できる大きさの円形として、その放熱器の放熱板に取り付け固定された上下一対の抜け止め板と、
その上側抜け止め板へ一定の通気間隙を保って取り付け固定されたトップカバーと、
下側抜け止め板の中心部から一体的に垂下された取付脚とを備え、
上記フードの中空内部に連通するＬＥＤプリント配線基板冷却用の第１通気口と、上記放熱器の中空内部に連通する放熱フィン冷却用の第２通気口との複数づつを、上下一対の上記抜け止め板へ各々放射対称分布型に開口形成したことを特徴とする可搬式投光機。
【請求項２】
放熱器を合計６枚の放熱板から組み合わされる平・底面視の正六角形として、その各放熱板の長手中心線上にセンタービス受け入れ凹条を列設すると共に、
その各放熱板のセンタービス受け入れ凹条へ横方向から各々ねじ込むタッピングビスによって、ＬＥＤのプリント配線基板を取り付け固定したことを特徴とする請求項１記載の可搬式投光機。
【請求項３】
放熱器を形作る各放熱板を一定帯幅のアルミ押出材として、その板本体の左右両端部に平行なサイドビス受け入れ凹条を列設すると共に、
その各放熱板のサイドビス受け入れ凹条へ上下方向から各々ねじ込むタッピングビスによって、上下一対の抜け止め板を放熱器とフードの施蓋状態に取り付け固定したことを特徴とする請求項１又は２記載の可搬式投光機。
【請求項４】
放熱器を形作る各放熱板を一定帯幅のアルミ押出材として、その板本体の左右両端部に平行なサイドスライドガイド凹条を列設する一方、
各ＬＥＤプリント配線基板のフードを断面擬似樋形又はカマボコ形の合成樹脂押出材として、その左右開口縁部に対応形成した平行な係合凸条を、上記放熱板側のサイドスライドガイド凹条へ抜き差し自在に差し込み係合させたことを特徴とする請求項１又は２記載の可搬式投光機。
【請求項５】
放熱器を形作る各放熱板を断面擬似椀形のアルミ押出材として、その椀形の底面に相当する厚肉な板本体から左右一対の円弧状フード支持フランジを、横外方へ連続一体に張り出し形成すると共に、
その両支持フランジの張り出し先端部に平行なサイドスライドガイド凹条を列設したことを特徴とする請求項４記載の可搬式投光機。
【請求項６】
取付脚を移動台車や三脚などの伸縮支柱へ抜き差し自在に差し込み使用できる一定長さの円筒として、その円筒の中途高さ位置へナットを溶接すると共に、
交流−直流変換器の吊り下げ棒にもなり得る指先での回動操作可能な化粧頭付き押えボルトを、上記取付脚のナットへ横方向から進退自在に螺合締結したことを特徴とする請求項１又は２記載の可搬式投光機。
【請求項７】
放熱器の中空内部に交流−直流変換器を取り付け固定すると共に、その放熱器を形作る放熱板同士の隣り合う相互間に、複数の第３通気口が開口分布された連結カバーを介挿設置したことを特徴とする請求項１又は２記載の可搬式投光機。
【考案の詳細な説明】
【技術分野】
【０００１】
本考案は屋外での夜間工事やイベント、暗い屋内での作業などに使用される可搬式の投光機に関する。
【背景技術】
【０００２】
この種の可搬式投光機としては、特許文献１に記載のようなバルーン型投光機が知られており、これは高輝度放電（ＨＩＤ）ランプに代る大光量のＬＥＤ（発光ダイオード）を光源として、全方位（３６０度）の照明を行うようになっている点で、本考案に近似するものと考えられる。
【先行技術文献】
【特許文献】
【０００３】
【特許文献１】特許第５６３５５６０号公報
【考案の概要】
【考案が解決しようとする課題】
【０００４】
ところが、上記特許文献１に開示されたバルーン型投光機の構成では、バルーン（５）を膨らませる空気供給用の送風機（１０）が不可欠であり、これを内蔵設置する分だけ、製造コストや重量などが増すことになるほか、その送風機（１０）によってバルーン（５）を膨らませるまでの間は、未だ使用開始することができず、所謂立ち上がりが遅い。
【０００５】
更に、送風機（１０）の気流をバルーン（５）の内部へ送り続けて、光源部（７）の放熱板（１４）を強制空冷する必要があるため、使用上の経費が高価となり、省電力に劣るばかりでなく、夜間に送風機（１０）を稼働し続けることになる結果、騒音を生ずる問題もある。
【課題を解決するための手段】
【０００６】
本考案はこのような課題の改良を目的としており、その目的を達成するために、請求項１では外面（表面）にＬＥＤのプリント配線基板が取り付け固定され、且つ内面（裏面）に櫛歯状の放熱フィンが突設された放熱板の複数から、平・底面視の正多角形に組み合わされた中空の放熱器と、
【０００７】
その放熱器を形作る各放熱板へ、上記ＬＥＤのプリント配線基板を包み込む状態に取り付けられた蛍光色又は乳白色のフードと、
【０００８】
上記放熱器とフードとの上端部同士並びに下端部同士を各々一緒に施蓋できる大きさの円形として、その放熱器の放熱板に取り付け固定された上下一対の抜け止め板と、
【０００９】
その上側抜け止め板へ一定の通気間隙を保って取り付け固定されたトップカバーと、
【００１０】
下側抜け止め板の中心部から一体的に垂下された取付脚とを備え、
【００１１】
上記フードの中空内部に連通するＬＥＤプリント配線基板冷却用の第１通気口と、上記放熱器の中空内部に連通する放熱フィン冷却用の第２通気口との複数づつを、上下一対の上記抜け止め板へ各々放射対称分布型に開口形成したことを特徴とする。
【００１２】
又、請求項２では放熱器を合計６枚の放熱板から組み合わされる平・底面視の正六角形として、その各放熱板の長手中心線上にセンタービス受け入れ凹条を列設すると共に、
【００１３】
その各放熱板のセンタービス受け入れ凹条へ横方向から各々ねじ込むタッピングビスによって、ＬＥＤのプリント配線基板を取り付け固定したことを特徴とする。
【００１４】
請求項３では放熱器を形作る各放熱板を一定帯幅のアルミ押出材として、その板本体の左右両端部に平行なサイドビス受け入れ凹条を列設すると共に、
【００１５】
その各放熱板のサイドビス受け入れ凹条へ上下方向から各々ねじ込むタッピングビスによって、上下一対の抜け止め板を放熱器とフードの施蓋状態に取り付け固定したことを特徴とする。
【００１６】
請求項４では放熱器を形作る各放熱板を一定帯幅のアルミ押出材として、その板本体の左右両端部に平行なサイドスライドガイド凹条を列設する一方、
【００１７】
各ＬＥＤプリント配線基板のフードを断面擬似樋形又はカマボコ形の合成樹脂押出材として、その左右開口縁部に対応形成した平行な係合凸条を、上記放熱板側のサイドスライドガイド凹条へ抜き差し自在に差し込み係合させたことを特徴とする。
【００１８】
請求項５では放熱器を形作る各放熱板を断面擬似椀形のアルミ押出材として、その椀形の底面に相当する厚肉な板本体から左右一対の円弧状フード支持フランジを、横外方へ連続一体に張り出し形成すると共に、
【００１９】
その両支持フランジの張り出し先端部に平行なサイドスライドガイド凹条を列設したことを特徴とする。
【００２０】
請求項６では取付脚を移動台車や三脚などの伸縮可能な支柱へ抜き差し自在に差し込み使用できる一定長さの円筒として、その円筒の中途高さ位置へナットを溶接すると共に、
【００２１】
交流−直流変換器の吊り下げ棒にもなり得る指先での回動操作可能な大きい化粧頭付きの押えボルトを、上記取付脚のナットへ横方向から進退自在に螺合締結したことを特徴とする。
【００２２】
更に、請求項７では放熱器の中空内部に交流−直流変換器を取り付け固定すると共に、その放熱器を形作る放熱板同士の隣り合う相互間に、複数の第３通気口が開口分布された連結カバーを介挿設置したことを特徴とする。
【考案の効果】
【００２３】
請求項１の上記構成によれば、中空の放熱器が複数の放熱板から平・底面視の正多角形に組み合わせ造形されているが、その各放熱板の外面（表面）にＬＥＤのプリント配線基板と、これを包み込む蛍光色又は乳白色のフードとが取り付け固定されている一方、同じく各放熱板の内面（裏面）に櫛歯状の放熱フィンが突設されているため、その外側（表側）におけるＬＥＤとそのプリント配線基板の発熱を、内側（裏側）の放熱フィンへ直かに伝導させて、その放熱フィンにより効率良く放熱することができる。
【００２４】
しかも、上記中空の放熱器とフードとを上下方向から一緒に施蓋する一対の抜け止め板には、そのフードの中空内部に連通するＬＥＤプリント配線基板冷却用の第１通気口と、放熱器の中空内部に連通する放熱フィン冷却用の第２通気口とが、各々放射対称分布型に点在開口されているため、その第１通気口からフードの中空内部を流動する空気（外気）によって、上記ＬＥＤとそのプリント配線基板を確実に自然冷却できると共に、第２通気口から放熱器の中空内部を流動する空気（外気）によって、上記櫛歯状の放熱フィンも確実に自然冷却できるのであり、バルーン型投光機のような送風機を特別に必要とすることなく、使用上の安価な経費のもとに、高効率の放熱効果を得られる。
【００２５】
その場合、放熱器を形作る複数の放熱板へ、その放熱器と上記フードとを一緒に施蓋できる大きさの円形な抜け止め板を、上下方向から取り付け固定すれば、上記放熱器を自づと正しく正多角形に組み立てることができるため、優れた量産効果を得られることになる。
【００２６】
請求項２の構成を採用するならば、ＬＥＤのプリント配線基板とその放熱板とを実用性に富む一定帯幅として、最も効果的な正六角形に組み合わせ造形することができ、その各放熱板のセンタービス受け入れ凹条へ横方向からねじ込むタッピングビスにより、ＬＥＤプリント配線基板を容易・確実に取り付け固定し得る効果もある。
【００２７】
又、請求項３の構成を採用するならば、各放熱板のサイドビス受け入れ凹条へ上下方向からねじ込むタッピングビスにより、一対の抜け止め板を容易・確実に取り付け固定することができ、上記放熱器における正確な正多角形の組立状態を自づと得られる効果がある。
【００２８】
請求項４の構成を採用するならば、各放熱板のサイドスライドガイド凹条へフードの係合凸条を抜き差し自在に差し込み係合させることにより、各放熱板へフードをそのＬＥＤプリント配線基板の正確な包み込み状態に取り付けることができ、その作業性の向上に役立つ。
【００２９】
その場合、特に請求項５の構成を採用するならば、各放熱板から横外方へ連続一体に張り出す円弧状のフード支持フランジと、その張り出し先端部のサイドスライドガイド凹条へ抜き差し自在に差し込み係合される断面ほぼ樋形のフードとが、全体的に連続する大きな断面楕円形をなすため、その中空内部にあるＬＥＤプリント配線基板の放熱効果をますます向上させせることができる。
【００３０】
更に、請求項６の構成を採用するならば、放熱器から垂下する取付脚を移動台車や三脚などの伸縮支柱へ差し込み使用する場合に、その押えボルトの化粧頭を指先での直かに把持して回動操作することにより、特別の工具を用いることなく、上記取付脚の差し込み状態を固定維持することができるほか、その押えボルトのネジ軸部を吊り下げ棒として、これに交流−直流変換器を吊り下げ使用できる利便性もある。
【００３１】
他方、請求項７の構成を採用するならば、放熱板同士の隣り合う相互間へ連結カバーを介挿設置することにより、その正多角形に組み合わせ造形される放熱器の中空内部を拡大することができ、その中空内部へ言わば制約の少なく取り付け固定した交流−直流変換器を、第２通気口のみならず第３通気口にも流動する空気（外気）によって、効率良く冷却し得る効果もある。
【図面の簡単な説明】
【００３２】
【図１】本考案に係る可搬式投光機の正面図である。
【図２】図１の２−２線断面図である。
【図３】図２の３−３線断面図である。
【図４】図２の４−４線拡大断面図である。
【図５】図４の放熱板を抽出して示す拡大平面図である。
【図６】ＬＥＤのプリント配線基板を抽出して示す正面図である。
【図７】上側抜け止め板を抽出して示す平面図である。
【図８】下側抜け止め板を抽出して示す平面図である。
【図９】本考案の第１変形実施形態を示す図４に対応する断面図である。
【図１０】図９の放熱板を抽出して示す拡大平面図てある。
【図１１】本考案の第２変形実施形態を示す図１に対応する正面図である。
【図１２】図１１の１２−１２線拡大断面図である。
【図１３】図１２の連結カバーを抽出して示す正面図である。
【図１４】本考案の使用状態を例示する斜面図である。
【図１５】図１４の部分拡大図である。
【図１６】同じく図１４の別な部分拡大図である。
【考案を実施するための形態】
【００３３】
以下、図面に基いて本考案の具体的構成を詳述すると、図１〜８はその基本実施形態に係る可搬式の投光機（ＬＥＤ照明器具）を示しており、（Ａ）は中空の角筒状放熱器であって、複数の同じ放熱板（１０）から、図３、４のような平・底面視の正多角形に組み合わせ造形されている。図例では合計６枚の放熱板（１０）から平・底面視の正六角形に組み合わせ造形された放熱器（Ａ）を示しているが、その正六角形だけに限らない。
【００３４】
上記放熱器（Ａ）を形作る放熱板（１０）の各個は、一定の帯幅（Ｗ１）（例えば約４５mm）と長さ（背丈）（Ｌ）（例えば約３６０mm）を有するアルミ押出材から成り、その比較的厚肉な板本体（１０ａ）の内面（裏面）には櫛歯状の平行な放熱フィン（１０ｂ）が連続一体に突設されている。
【００３５】
又、その板本体（１０ａ）の左右両端部には内向きに開口するサイドビス受け入れ凹条（１０ｃ）と横向きに開口するサイドスライドガイド凹条（１０ｄ）との一対づつが、図５のような言わば背中合わせになる位置関係として各々平行に列設されており、更に同じく板本体（１０ａ）の長手中心線上（一定帯幅を２等分する垂直中心線上）には、外向きに開口する１条のセンタービス受け入れ凹条（１０ｅ）が列設されている。
【００３６】
そして、ＬＥＤ（発光ダイオード）（１１）のプリント配線基板（１２）が各放熱板（１０）における上記板本体（１０ａ）のフラットな外面（表面）へ、その外方から上記長手中心線上のセンタービス受け入れ凹条（１０ｅ）へねじ込まれるタッピングビス（１３）の複数によって、取り付け固定されている。
【００３７】
その場合、上記プリント配線基板（１２）は図６に抽出して示す如く、放熱板（１０）よりも狭い一定帯幅（Ｗ２）（例えば約４０mm）のアルミ押出材から成り、その外面（表面）に多数のＬＥＤ（１１）が２列での点在分布状態に実装されている。各ＬＥＤプリント配線基板（１２）からのリード線（１４）は、その複数（図例では６本）をまとめた１本の配線束（ワイヤーハーネス）（１５）として、放熱器（Ａ）の中空内部から図２のように下方へ導出されることになる。
【００３８】
因みに、好ましい仕様の一例を挙げると、消費電力：２４０Ｗ（４０Ｗ×６本）、全光束：３４，８００ｌｍ、エネルギー消費効率：１４５ｌｍ／Ｗ、照射方向：３６０度水平方向、入力電圧：ＤＣ３６Ｖ、入力電流：６．６７Ａ、色温度：５，０００Ｋ、器具重量：５．５Ｋｇ、使用環境：−２５℃〜４５℃である。
【００３９】
（１６）は上記ＬＥＤ（１１）のプリント配線基板（１２）を包み込む蛍光色又は乳白色のフード（反射カバー）であって、熱可塑性の合成樹脂（好ましくはポリカーボネート樹脂）から断面擬似カマボコ形又は半円形に押出成形されており、そのカマボコ形又は半円形の左右開口縁部が上記放熱板（１０）側のサイドスライドガイド凹条（１０ｄ）と対応する一対の係合凸条（１６ａ）として造形されている。
【００４０】
そして、そのフード（１６）側の係合凸条（１６ａ）が上記放熱板（１０）側のサイドスライドガイド凹条（１０ｄ）へ、上下方向から抜き差し自在に差し込み係合されることによって、上記ＬＥＤ（１１）のプリント配線基板（１２）を包み込んでいる。
【００４１】
更に、（１７）（１８）は上下一対の互いに同じ抜け止め板であって、上記中空の放熱器（Ａ）とフード（１６）との上端部同士並びに下端部同士を各々一緒に施蓋できる大きさ（直径）（Ｄ）（例えば約１８０mm）の円形なアルミ板から成り、その上側抜け止め板（１７）が各放熱板（１０）側の上記サイドビス受け入れ凹条（１０ｃ）へ上方からねじ込まれるタッピングビス（１９）によって、その放熱板（１０）へ取り付け固定される一方、下側抜け止め板（１８）が各放熱板（１０）側の同じサイドビス受け入れ凹条（１０ｃ）へ下方からねじ込まれるタッピングビス（２０）によって、やはり上記放熱板（１０）へ取り付け固定されている。
【００４２】
つまり、各放熱板（１０）へ図２〜４のように、上下一対の抜け止め板（１７）（１８）を各々上記タッピングビス（１９）（２０）により取り付ければ、その放熱板（１０）の複数（図例では合計６枚）から組み合わせ造形される放熱器（Ａ）の正多角形（図例では正六角形）が、形崩れのおそれなく固定維持されることになり、その組立状態において各放熱板（１０）側のサイドスライドガイド凹条（１０ｄ）からＬＥＤプリント配線基板（１２）のフード（１６）が抜け出すおそれもない。
【００４３】
その場合、中空の放熱器（Ａ）とフード（１６）とが上下方向から一対の抜け止め板（１７）（１８）によって、施蓋された組立状態にあるとしても、その両抜け止め板（１７）（１８）には上記フード（１６）の中空内部に連通するＬＥＤプリント配線基板冷却用の第１通気口（１７ａ）（１８ａ）と、上記放熱器（Ａ）の中空内部に連通する放熱フィン冷却用の第２通気口（１７ｂ）（１８ｂ）との複数づつ（図例では６個づつ）が、各々放射対称分布型に開口形成されている。
【００４４】
上記放熱器（Ａ）を形作る各放熱板（１０）の外面（表面）に敷設された状態にあるＬＥＤ（１１）のプリント配線基板（１２）を、その両抜け止め板（１７）（１８）の第１通気口（１７ａ）（１８ａ）からフード（１６）の中空内部へ流動する外気によって空冷すると同時に、各放熱板（１０）の内面（裏面）に突設された櫛歯状の放熱フィン（１０ｂ）を、同じく両抜け止め板（１７）（１８）の第２通気口（１７ｂ）（１８ｂ）から放熱器（Ａ）の中空内部へ流動する外気によって空冷し、各放熱板（１０）の内外（表裏）両側から効率良く放熱できるようになっている。
【００４５】
この点、図例では図７、８から明白なように、第１通気口（１７ａ）（１８ａ）をほぼ楕円形の開口形状として、上記フード（１６）の中空内部と直通する位置関係に分布させる一方、第２通気口（１７ｂ）（１８ｂ）をほぼ等脚台形の開口形状として、上記放熱器（Ａ）の中空内部にある放熱フィン（１０ｂ）の櫛目と直通する位置関係（放熱フィンの延長線上）に分布させているが、その開口形状や位置関係は図例のそれだけに限らない。
【００４６】
そして、上側抜け止め板（１７）にはこれを上方から被覆する防塵・防雨用のトップカバー（２１）が、一定の通気間隙（Ｓ）（例えば約１０mm）を保つ関係状態に取り付け固定されている。そのトップカバー（２１）として、図例では両抜け止め板（１７）（１８）と同じ大きさ（直径）（Ｄ）の円形なアルミ板から成る天板を示しており、これによれば、投光機を後述する三脚などへ取り付け使用する準備中において、そのフラットな天板が接地する倒立姿勢状態に安定良く仮り置きすることができ、持ち運びやその他の取扱い上の利便性に役立つ。
【００４７】
（２２）はその通気間隙（Ｓ）を保つ複数（図例では合計６個）のスペーサーであって、筒ナットから具体化されており、上記放熱板（１０）同士の隣り合う相互間に対応位置する円周近傍部へ、全体的な放射対称型に点在分布している。（２３）（２４）はその各スペーサー（筒ナット）（２２）へ上下方向からねじ込まれた一対の固定ビスである
【００４８】
他方、下側抜け止め板（１８）の中心部からは取付脚（２５）が一体的に垂下されている。その取付脚（２５）は一定長さ（例えば約１００mm）の円筒（アルミ管）として、移動台車（図示省略）や三脚（２６）などの伸縮可能な支柱（２７）へ、抜き差し自在に差し込み使用できるようになっている。
【００４９】
（２８）はその取付脚（円筒）（２５）の中途高さ位置に溶接されたナットであり、これに横方向から螺合締結された径大な化粧頭（２９）付きの押えボルト（３０）を、指先での回動操作により螺進させて、上記支柱（２７）に対する取付脚（２５）の差し込み使用状態を固定維持するようになっている。
【００５０】
その場合、上記化粧頭（２９）付きの押えボルト（３０）は取付脚（２５）から水平状態に張り出すため、そのネジ軸部を吊り下げ棒（３１）として利用し、ここへハンガーフック（３２）などを介して交流−直流変換器（又はＬＥＤ用直流安定化電源）（３３）を吊り掛け使用することができる。尚、その交流−直流変換器（３３）の仕様は入力電圧：ＡＣ１００Ｖ〜ＡＣ２４０Ｖ、消費電力：２４０Ｗである。
【００５１】
（３４）は上記放熱器（Ａ）から導出された配線束（ワイヤーハーネス）（１５）と、電源コード（３５）とを接続する防水コネクター、（３６）はその交流−直流変換器（３３）から別個な防水コネクター（３７）を介して延長された電源プラグコードであり、その電源プラグ（３８）が図外の発電機や蓄電池、その他の電源（図示省略）へ接続使用されることになる。
【００５２】
次に、図９、１０は本考案の第１変形実施形態を示しており、これでは正多角形の放熱器（Ａ）を形作る放熱板（１０）の各個を、断面擬似椀形のアルミ押出材として、その椀形の底面に相当する極めて厚肉な板本体（１０ａ）の左右両端部に、横向き開口する平行な一対のサイドビス受け入れ凹条（１０ｃ）を列設すると共に、同じく板本体（１０ａ）の左右両端部から対称な一対の円弧状フード支持フランジ（１０ｆ）を、横外方へ連続一体に張り出して、その両支持フランジ（１０ｆ）の張り出し先端部を平行なサイドスライドガイド凹条（１０ｄ）として列設している。
【００５３】
そして、ＬＥＤ（１１）のプリント配線基板（１２）を包み込むフード（１６）を、上記基本実施形態のそれと同じ熱可塑性樹脂（好ましくはポリカーボネート樹脂）から断面擬似樋形に押出成形しており、その樋形の左右開口縁部に対応形成された一対の係合凸条（１６ｄ）を、上記放熱板（１０）側のサイドスライドガイド凹条（１０ｄ）へ、やはり上下方向から抜き差し自在に差し込み係合させている。
【００５４】
尚、図９、１０の第１変形実施形態におけるその他の構成は図１〜８の上記基本実施形態と実質的に同一であるため、その図９、１０に図１〜８と同一の符号を記入するにとどめて、その詳細な説明を省略する。
【００５５】
更に、図１１〜１３は本考案の第２変形実施形態を示しており、これでは交流−直流変換器（又はＬＥＤ用直流安定化電源）（３３）を上記基本実施形態のように、放熱器（Ａ）の下側抜け止め板（１８）から垂下する取付脚（２５）の押えボルト（３０）へ、言わば露出状態に吊り下げ使用せず、その放熱器（Ａ）の中空内部へ格納状態に固定設置している。
【００５６】
そして、その交流−直流変換器（３３）から放熱器（Ａ）の外部へ、上記電源コード（３５）や電源プラグコード（３６）を導出配線している。その適当な長さの途中に介在する防水コネクターは、図示省略してある。
【００５７】
放熱器（Ａ）を形作る各放熱板（１０）の構成と、そのＬＥＤ（１１）のプリント配線基板（１２）を包み込むフード（１６）の構成は、図９、１０の上記第１変形実施形態と実質的に同一であるが、第２変形実施形態では放熱器（Ａ）の中空内部を拡大するために、その放熱板（１０）同士の隣り合う相互間へ別個な連結カバー（３９）を介挿設置している。
【００５８】
つまり、各放熱板（１０）における板本体（１０ａ）の左右両端部に列設されている平行なサイドビス受け入れ凹条（１０ｃ）へ、図１１、１２のように、その隣り合う放熱板（１０）同士を連結する如く、上下方向から連結カバー（３９）を抜き差し自在に差し込み係合させるのである。
【００５９】
その連結カバー（３９）は一定の帯幅（Ｗ３）（例えば約３２mm）並びに放熱板（１０）と同じ一定の長さ（Ｌ）を有するアルミ板から成り、その板面には図１３のような複数の第３通気口（４０）が開口分布されている。その第３通気口（４０）は横向きに開口することとなる。
【００６０】
その場合、連結カバー（３９）の角隅部には上記抜け止め板（１７）（１８）を取り付け固定するタッピングビス（１９）（２０）の逃し切欠（４１）が付与されており、その連結カバー（３９）を放熱板（１０）側のサイドビス受け入れ凹条（１０ｃ）へ差し込み係合させた後、そのサイドビス受け入れ凹条（１０ｃ）へ上下方向からタッピングビス（１９）（２０）をねじ込んで、一対の抜け止め板（１７）（１８）を放熱板（１０）へ取り付け固定できるようになっていることは、言うまでもない。
【００６１】
又、第２変形実施形態のトップカバー（２１）は上記基本実施形態のような天板と異なり、笠状に弯曲形成されており、その放射対称型に分布する複数の支持ステー（４２）が、上側抜け止め板（１７）へ固定ビス（４３）によって、取り付けられている。そのトップカバー（２１）に溶接されている支持ステー（４２）が、上記基本実施形態のスペーサー（２２）に相当して、上側抜け止め板（１７）との一定な通気間隙（Ｓ）を確保している。
【００６２】
尚、図１１〜１３の第２変形実施形態におけるその他の構成は、図１〜８の上記基本実施形態や図９、１０の第１変形実施形態と実質的に同一であるため、その図１１〜１３に図１〜１０と同一の符号を記入するにとどめて、その詳細な説明を省略する。
【００６３】
上記基本実施形態と第１変形実施形態の可搬式投光機（ＬＥＤ照明器具）を夜間の道路工事やイベント、昼間でも暗い屋内での各種作業に供する場合は、図１４〜１６に例示する如く、その現場に据え立てた三脚（２６）の伸縮可能な支柱（２７）へ、上方から投光機側の取付脚（２５）を差し込んで、押えボルト（３０）により押え付け固定し、その押えボルト（３０）のネジ軸部（吊り下げ棒）（３１）へハンガーフック（３２）を介して、交流−直流変換器（又はＬＥＤ用直流安定化電源）（３３）を吊り下げると共に、これを上記投光機側の放熱器（Ａ）から導出された配線束（ワイヤーハーネス）（１５）と接続配線する一方、図外の移動台車に搭載された発電機や蓄電池、その他の電源と接続配線すれば良い。
【００６４】
尚、上記第２変形実施形態の場合、交流−直流変換器（３３）は放熱器（Ａ）に内蔵設置されているため、これから導出された電源コード（３５）や電源プラグコード（３６）を、図外の発電機や蓄電池などの電源へ接続使用するだけで良い。
【００６５】
何れにしても、上記電源プラグコード（３６）の電源プラグ（３８）を図外の発電機や蓄電池、その他の電源へ差し込み接続すれば、その投光機を即座に使用開始することができ、冒頭に述べた従来のバルーン型投光機のように、強制空冷する送風機を夜間に稼働し続けることがないため、特に蓄電池への接続使用により、騒音を生ずる問題も解消することができる。
【００６６】
又、ＬＥＤ（１１）のプリント配線基板（１２）を包み込んでいるフード（１６）は、蛍光色又は乳白色の熱可塑性樹脂（望ましくはポリカーボネート樹脂）から押出成形されており、バルーン型投光機の布から成るバルーンよりも耐久強度と光透過率に優れ、高い光透過率を得られるにも拘らず、眩しさを抑制することができるため、トップカバー（２１）の防塵・防雨作用とも相俟って、夜間での屋外作業上有益な可搬式投光機（ＬＥＤ照明器具）として提供し得る効果がある。
【符号の説明】
【００６７】
（１０）・放熱板
（１０ａ）・板本体
（１０ｂ）・放熱フィン
（１０ｃ）・サイドビス受け入れ凹条
（１０ｄ）・サイドスライドガイド凹条
（１０ｅ）・センタービス受け入れ凹条
（１０ｆ）・フード支持フランジ
（１１）・ＬＥＤ（発光ダイオード）
（１２）・プリント配線基板
（１３）（１９）（２０）・タッピングビス
（１６）・フード
（１６ａ）・係合凸条
（１７）（１８）・抜け止め板
（１７ａ）（１８ａ）・第１通気口
（１７ｂ）（１８ｂ）・第２通気口
（２１）・トップカバー
（２２）・スペーサー
（２３）（２４）・固定ビス
（２５）・取付脚
（２６）・三脚
（２７）・支柱
（２８）・ナット
（２９）・化粧頭
（３０）・押えボルト
（３１）・吊り下げ棒
（３３）・交流−直流変換器
（３４）（３７）・防水コネクター
（３６）・電源プラグコード
（３９）・連結カバー
（４０）・第３通気口
（４１）・逃がし切欠
（４２）・支持ステー
（４３）・固定ビス
（Ａ）・放熱器
（Ｓ）・通気間隙
【図１】
0003201489.tif 000003
【図２】
0003201489.tif 000004
【図３】
0003201489.tif 000005
【図４】
0003201489.tif 000006
【図５】
0003201489.tif 000007
【図６】
0003201489.tif 000008
【図７】
0003201489.tif 000009
【図８】
0003201489.tif 000010
【図９】
0003201489.tif 000011
【図１０】
0003201489.tif 000012
【図１１】
0003201489.tif 000013
【図１２】
0003201489.tif 000014
【図１３】
0003201489.tif 000015
【図１４】
0003201489.tif 000016
【図１５】
0003201489.tif 000017
【図１６】
0003201489.tif 000018